(57)【要約】【課題】  特定小電力無線信号を、共同受信システムを利用して中継する。【解決手段】  共同受信システム８の伝送ライン１６、１８に設けられた複数の端末ユニット２０のうち、特定小電力無線送信機４の近傍にあるものに受信用中継器２ａが接続され、特定小電力無線送信機４からの送信電波を受信し、伝送ライン１６によって伝送可能な周波数の高周波信号に周波数変換して、伝送ライン１６に供給する。複数の端末ユニット２０のうち、特定小電力無線受信機６の近傍にあるものに接続された送信用中継器２ｂが、伝送ライン１６、１８を伝送された高周波信号を受信し、特定小電力無線送信機の送信電波と同じ周波数の電波に変換して送信する。【選択図】        図１
2010263358.tif 000002
【特許請求の範囲】
【請求項１】
共同受信システムの伝送ラインに設けられ、前記伝送ラインを介して高周波信号の伝送が可能な複数の端末ユニットのうち、特定小電力無線送信機の近傍にあるものに接続され、前記特定小電力無線送信機からの送信電波を受信し、前記伝送ラインによって伝送可能な周波数の高周波信号に周波数変換して、前記接続されている端末ユニットに供給する第１の中継器と、
前記複数の端末ユニットのうち、前記特定小電力無線送信機に対応する特定小電力無線受信機の近傍にあるものに接続され、前記伝送ラインを伝送された前記伝送可能な周波数の高周波信号を受信し、前記特定小電力無線送信機の送信電波と同じ周波数の電波に変換して送信する第２の中継器とを、
具備する中継装置。
【請求項２】
共同受信システムの伝送ラインに設けられ、前記伝送ラインを介して高周波信号の伝送が可能な複数の端末ユニットの１つに接続され、
特定小電力無線送信機からの電波をアンテナで受信し、前記伝送ラインを介して伝送可能な周波数の高周波信号に周波数変換し、前記接続された端末ユニットを介して前記伝送ラインに供給する第１の周波数変換手段と、
前記接続された端末ユニットから受けた前記伝送可能な周波数の高周波信号を受信し、前記特定小電力無線送信機からの電波の周波数と同じ周波数の高周波信号に変換して、前記アンテナから、前記特定小電力無線送信機に対応する特定小電力無線受信機に向けて送信させる第２の周波数変換手段とを、
具備する中継器。
【請求項３】
共同受信システムの伝送ラインに設けられ、前記伝送ラインを介して高周波信号の伝送が可能な複数の端末ユニットの１つに接続され、
特定小電力無線送信機からの電波をアンテナで受信し、前記伝送ラインを介して伝送可能な周波数の高周波信号に周波数変換し、前記接続された端末ユニットを介して前記伝送ラインに供給する第１の周波数変換手段と、
前記接続された端末ユニットから受けた前記伝送可能な周波数の高周波信号を受信し、前記特定小電力無線送信機からの電波の周波数と同じ周波数の高周波信号に変換して、出力する第２の周波数変換手段と、
第２の周波数変換手段の出力に応じて動作する動作手段とを、
具備する中継器。
【請求項４】
共同受信システムの伝送ラインに設けられ、前記伝送ラインを介して高周波信号の伝送が可能な複数の端末ユニットの１つに接続され、
第１または第２の特定小電力無線送受信機からの異なる周波数の電波をアンテナで受信し、第１の特定小電力無線送受信機からの電波を前記伝送ラインを介して伝送可能な周波数の第１の高周波信号に周波数変換し、第２の特定小電力無線送受信機からの電波を前記伝送ラインを介して伝送可能な周波数であって第１の高周波信号と異なる周波数の第２の高周波信号に周波数変換し前記接続された端末ユニットを介して前記伝送ラインに供給する第１の周波数変換手段と、
前記接続された端末ユニットから受けた前記第１または第２の高周波信号を受信し、第１の高周波信号を第１の特定小電力無線送受信機からの電波と同じ周波数で送信し、第２の高周波信号を第２の特定小電力無線送受信機からの電波と同じ周波数で送信する第２の周波数変換手段とを、
具備する中継器。
【発明の詳細な説明】
【技術分野】
【０００１】
本発明は、特定小電力無線送信機と受信機とでの送受信を中継する中継器に関し、特に共同受信システムを利用したものに関する。
【背景技術】
【０００２】
共同受信システムを利用して、テレビジョン放送信号以外の信号を伝送する技術が特許文献１に開示されている。特許文献１では、共同受信システムの伝送ラインに直流電源を接続し、伝送ラインに接続された１つの端末ユニットにおいて、リモートコントロール送信機からの光信号を受信すると、光信号に応じてＨレベルまたはＬレベルの信号を発生し、Ｈレベル及びＬレベルに応じて上記直流電源を断続し、別の端末ユニットにおいて、直流電源の断続に応じてＬＥＤを、リモートコントロール受信機に向けて発光させる技術が開示されている。
【先行技術文献】
【特許文献】
【０００３】
【特許文献１】特開平５−２９２３３９号公報
【発明の概要】
【発明が解決しようとする課題】
【０００４】
特定小電力無線を利用して、機器を作動させることがあるが、特定小電力無線では、その出力電力が非常に小さく定められているので、例えば鉄筋を使用した建物の内部で使用しようとした場合、充分に伝送することができない。そこで、建物内に敷設されている共同受信システムの伝送ラインを使用して中継することが考えられる。この中継に、特許文献１の技術を使用しようとしても、この技術は伝送ラインに接続された直流電源を断続する構成であるので、高周波信号を使用した特定小電力無線の中継には適用することができなかった。
【０００５】
本発明は、特定小電力無線の信号を、共同受信システムを利用して中継することができる中継器を提供することを目的とする。
【課題を解決するための手段】
【０００６】
本発明の第１の態様の中継装置では、共同受信システムの伝送ラインに設けられた複数の端末ユニット間で高周波信号の伝送が可能である。これら複数の端末ユニットのうち、特定小電力無線送信機の近傍にあるものに第１の中継器が接続されている。第１の中継器は、特定小電力無線送信機からの送信電波を受信し、前記伝送ラインによって伝送可能な周波数の高周波信号に周波数変換して、前記接続されている端末ユニットに供給する。伝送ラインによって伝送可能な周波数とは、伝送ラインによって減衰等の影響を受けることがない周波数であって、伝送ラインを既に伝送されているテレビジョン放送信号や、テレビジョン放送信号を周波数変換した信号の周波数と重複していない周波数である。前記複数の端末ユニットのうち、前記特定小電力無線送信機に対応する特定小電力無線受信機の近傍にあるものに第２の中継器が接続されている。第２の中継器は、前記伝送ラインを伝送された前記伝送可能な周波数の高周波信号を受信し、前記特定小電力無線送信機の送信電波と同じ周波数の電波に変換して送信する。
【０００７】
このように構成された中継装置では、特定小電力無線送信機からの電波は、第１の中継器によって受信され、高周波信号に周波数変換されて、伝送ラインを伝送される。この高周波信号が第２の中継器によって元の電波に変換されて、送信され、特定小電力無線受信機で受信される。
【０００８】
本発明の第２の態様の中継器は、共同受信システムの伝送ラインに設けられ、前記伝送ラインを介して高周波信号の伝送が可能な複数の端末ユニットの１つに接続される。この中継器では、特定小電力無線送信機からの電波をアンテナで受信し、第１の周波数変換手段が、前記伝送ラインを介して伝送可能な周波数の高周波信号に周波数変換し、前記接続された端末ユニットを介して前記伝送ラインに供給する。第２の周波数変換手段が、前記接続された端末ユニットから受けた前記伝送可能な周波数の高周波信号を受信し、前記特定小電力無線送信機からの電波の周波数と同じ周波数の高周波信号に変換して、前記アンテナから、前記特定小電力無線送信機に対応する特定小電力無線受信機に向けて送信する。
【０００９】
このように構成された中継器を２台用意し、一台を特定小電力無線送信機の近傍の端末ユニットに接続し、別の１台を特定小電力無線受信機の近傍の端末ユニットに接続することによって、特定小電力無線送信機からの電波を、この電波を直接に受信することができない場所にある特定小電力無線受信機で受信可能とすることができる。
【００１０】
本発明の第３の態様の中継器は、上記態様の中継器において、第２の周波数変換手段が出力した高周波信号はアンテナから送信されない。この第２の周波数変換出力から出力された高周波信号に応じて動作手段が動作する。動作手段としては、例えば音声的または視覚的な報知手段を使用することができる。また、例えば特定小電力無線送信機からの電波が変調用の信号によって変調されたものである場合、第１及び第２の周波数変換手段が出力する高周波信号も変調されたものであり、動作手段は、第２の周波数変換手段からの変調された高周波信号を変調用の信号を復調する復調手段を備え、復調手段からの復調された変調用の信号が検出されたことによって、動作手段が動作する。
【００１１】
このように構成すると、２台の中継器を準備し、それぞれを受信システムの離れた位置の端末ユニットに接続しておけば、特定小電力送信機をいずれかの中継器の近傍で動作させれば、他方の中継器内の動作手段を動作させることができる。
【００１２】
本発明の第４の態様の中継器は、第２の態様の中継器において、中継器の近傍に設置された第１及び第２の特定小電力送受信機同士が双方向で送受信可能としたものである。そのため、第１の周波数変換手段は、第１の特定小電力無線送受信機からの電波を第１の高周波信号に周波数変換するか、第２の特定小電力無線送受信機からの電波を第２の高周波信号に周波数変換する。第１及び第２の高周波信号は、伝送ラインで伝送可能な周波数であって、互いに異なる周波数を持つものである。第２の周波数変換手段は、前記接続された端末ユニットから受けた前記第１の高周波信号を受信し、第１の特定小電力無線送受信機からの電波と同じ周波数で送信するか、第２の高周波信号を第２の特定小電力無線送受信機からの電波と同じ周波数で送信する。そのため、第１及び第２の周波数変換手段は、これらに供給される局部発振信号の周波数を変更可能に構成されている。
【００１３】
このように構成された２台の中継器を、受信システムの異なる位置にある端末ユニットに接続すると、第１及び第２の特定小電力無線送受信機において双方向の通信を行うことができる。
【発明の効果】
【００１４】
以上のように、本発明によれば、通常では比較的近い位置でしか通信を行うことができない特定小電力無線を使用しているにも拘わらず、離れた位置間で通信を行うことができる。
【図面の簡単な説明】
【００１５】
【図１】本発明の第１の実施形態の中継器を実施した共同受信システムのブロック図である。
【図２】本発明の第１の実施形態の中継器のブロック図である。
【図３】本発明の第２の実施形態の中継器のブロック図である。
【図４】本発明の第３の実施形態の中継器を実施した共同受信システムの部分省略ブロック図である。
【図５】本発明の第３の実施形態の中継器のブロック図である。
【発明を実施するための形態】
【００１６】
本発明の第1の実施形態の第１及び第２の中継器、例えば受信用中継器２ａ、送信用中継器２ｂについて、図１及び図２を参照して説明する。受信用及び送信用中継器２ａ、２ｂは、例えば鉄筋の入ったビルなどの異なる階に設置され、省電力のために直接に通信が困難な特定小電力無線送信機４と特定小電力無線受信機６との間で、共同受信システム８を介して通信可能とするものである。例えば特定小電力無線送信機４が送信する電波を受信用中継器２ａが受信し、共同受信システム８が伝送可能で、共同受信システム８で未使用の周波数の高周波信号に変換して、共同受信システム８を介して送信用中継器２ｂに伝送し、ここで特定小電力無線送信機４の電波と同じ周波数の電波に変換して、特定小電力無線受信機６に送信する。
【００１７】
例えば、共同受信システム８は、テレビジョン放送受信用アンテナ１０によって受信したテレビジョン放送信号を増幅器１２によって増幅し、分配手段、例えば２分配器１４によって２分配し、伝送ライン１６、１８に供給する。各伝送ライン１６、１８は、例えばビルの異なる階に敷設されている。各伝送ライン１６、１８中には、それぞれ端末ユニット２０、２０・・・が介在している。なお、図１では、各端末ユニット２０は、２端子のものとして示してある。これら端末ユニット２０のいずれかの１つの端子にテレビジョン受信機２２が接続されると、これにテレビジョン放送信号が供給される。
【００１８】
例えば伝送ライン１６中に存在する１つの端末ユニット２０の１つの端子に受信用中継器２ａが接続され、伝送ライン１８中に存在する１つの端末ユニット２０の１つの端子２０に送信用中継器２ｂが接続されている。受信用中継器２ａの近傍には、特定小電力無線送信機４が設置されており、受信用中継器２ａは、特定小電力無線送信機４が送信する電波を直接に受信可能である。送信用中継器２ｂの近傍には、特定小電力無線受信機６が設置されており、送信用中継器２ｂが送信する電波を特定小電力無線受信機６が直接に受信可能である。
【００１９】
伝送ライン１６を伝送された受信用中継器２ａからの高周波信号を送信用中継器２ｂが存在する伝送ライン１８に供給するために、２分配器１４の一方の分配端子と伝送ライン１６の先端との間、２分配器１４の他方の分配端子と伝送ライン１８の先端との間に合成器２４、２６が設けられ、これら合成器２４、２６の間に、上記高周波信号のみを通過させる抽出手段、例えばバンドパスフィルタ２８が設けられている。
【００２０】
受信用及び送信用中継器２ａ、２ｂは、同一の構成である。受信用及び送信用中継器２ａ、２ｂは、図２に示すように、特定小電力無線送信機４から送信された電波を受信して、高周波信号ｆ１を出力するアンテナ３０を有している。この高周波信号ｆ１は、抽出手段、例えば高周波信号ｆ１のみを通過させる通過帯域を持つバンドパスフィルタ３２を介して増幅段３４に供給され、ここで増幅された後、第１の周波数変換手段、例えば周波数変換器３６に供給される。周波数変換器３６には、局部発振手段、例えば局部発振器３８からの局部発振信号ｆ２も供給されており、周波数変換器３６は、増幅段３４からの高周波信号ｆ１を、共同受信システム８で伝送可能な周波数で、共同受信システム８で未使用の周波数の高周波信号ｆ３に周波数変換し、増幅段４０に供給する。増幅段４０で増幅された高周波信号ｆ３は、抽出手段、例えば高周波信号f３のみを通過させるように通過帯域が選択されたバンドパスフィルタ４２を介して端末ユニット２０の１つの端子に供給される。
【００２１】
受信用及び送信用中継器２ａ、２ｂでは、端末ユニット２０から供給された高周波信号ｆ３がバンドパスフィルタ４２を介して増幅段４４に供給され、ここで増幅された後、第２の周波数変換手段、例えば周波数変換器４６に供給される。周波数変換器４６には、局部発振器３８から局部発振信号ｆ２が供給されており、周波数変換器４６は、高周波信号ｆ３を高周波信号ｆ１に周波数変換する。この周波数変換された高周波信号ｆ１は、増幅段４８によって増幅され、バンドパスフィルタ３２を介してアンテナ３０に供給されて、送信される。
【００２２】
増幅段３４、周波数変換器３６、増幅段４０は、中継器を受信用中継器２ａとして機能させる場合に使用する。増幅段４４、周波数変換器４６及び増幅段４８は、この中継器を送信用中継器２ｂとして機能させる場合に使用される。バンドパスフィルタ３２、４２、アンテナ３０は、この中継器を第１の中継器２ａ及び第２の中継器２ｂのいずれとして機能させる場合にも、使用される。受信用中継器２ａとして使用する場合には、増幅段４４、４８は不要であるので、制御手段、例えばＣＰＵ５０によって非作動状態とされる。逆に、送信用中継器２ｂとして使用する場合には、増幅段３４、４０は不要であるので、ＣＰＵ５０によって非作動状態にされる。また、このとき、動作している増幅段４８の出力電力が、特定小電力の規格に従った出力電力となるように、ＣＰＵ５０によって制御されている。
【００２３】
このような受信用中継器２ａとして使用するか、送信用中継器２ｂとして使用するかのＣＰＵ５０への指示は、指示手段、例えばスイッチ、具体的には数ビットのＤＩＰスイッチ５２から与えられる。なお、局部発振器３８が発振する局部発振信号の周波数もＣＰＵ５０から指示される。
【００２４】
このような中継器を２台準備し、１台を特定小電力無線送信機４が設置されている位置の付近にある端末ユニット２０の１つの端子に接続し、ＤＩＰスイッチ５２を操作して、受信用中継器２ａとして機能するようにＣＰＵ５０に指示を与える。もう１台の中継器を特定小電力無線受信機６が設置されている位置付近にある端末ユニットの１つの端子に接続し、ＤＩＰスイッチ５２を操作して、送信用中継器２ｂとして機能するようにＣＰＵ５０に指示を与える。これによって、特定小電力無線送信機４からの電波は、受信用中継器２ａで受信され、高周波信号ｆ３に変換され、伝送ライン１６、合成器２４、バンドパスフィルタ２８、合成器２６、伝送ライン１８に伝送され、端末ユニット２０を介して送信用中継器２ｂに伝送され、ここで元の電波に変換されて、送信され、特定小電力無線受信機６で受信される。従って、直接には通信することが不能な位置に配置されている特定小電力無線送信機４と特定小電力無線受信機６との間で、無線通信を行うことができる。なお、特定小電力無線受信機６は、特定小電力無線送信機４からの電波を受信したときに、その受信に応じて動作する機器、例えば音声出力回路や表示回路を備えた警報受信機である。特定小電力無線送信機４は、電波の送信を、この特定小電力無線送信機４を携帯している作業員の操作によって電波の送信を開始するものであってもよいし、特定小電力無線送信機４に、例えばセンサを設け、このセンサが人等の物体を検知したときに、電波を自動的に送信するように構成したものとすることもできる。
【００２５】
第２の実施形態の中継器を図３に示す。この中継器は、受信用中継器１０２ａとして使用できるのはもちろん、送信用中継器１０２ｂとして使用する場合、第１の実施形態の送信用中継器２ｂと同様にアンテナ３０から送信できる他に、送信用中継器１０２ｂ自身が警報用受信機としても使用できるものである。即ち、増幅段４８の出力信号は、ＣＰＵ５０によって切換制御される切換スイッチ１０４を介してバンドパスフィルタ３２側に供給される場合には、第１の実施形態の送信用中継器２ｂと同様に動作する。
【００２６】
特定小電力無線送信機４では、上述したように作業員の操作またはセンサによる物体の検出によって、特定のベース信号を発生し、このベース信号によって周波数ｆ１のキャリア信号が変調されたものが、高周波信号ｆ１とされて送信されている。ＣＰＵ５０の指示によって、切換スイッチ１０４が増幅段４８の出力信号である高周波信号ｆ１を、復調手段、例えば復調回路１０６に供給すると、復調回路１０６は、高周波信号ｆ１からベース信号を復調して、ＣＰＵ５０に供給する。ＣＰＵ５０はベース信号が検出されたことに応動して、報知音出力回路１０８を動作させて、スピーカ１１０から報知音を出力し、同時にＬＥＤ制御回路１１２を駆動して、表示手段、例えばＬＥＤ１１４を発光させる。
【００２７】
なお、特定小電力無線送信機４が作業員の操作またはセンサによる物体の検出によって無変調のキャリア信号を高周波信号ｆ１として送信する場合には、復調回路１０６に代えて、キャリア検出回路を設け、このキャリア検出回路がキャリア信号を検出したときに、上述したのと同様に、報知音出力回路１０８を動作させ、ＬＥＤ１１４を発光させる。
【００２８】
従って、第２の実施形態の中継器では、特定小電力無線受信機６の機能も兼ねているので、警報受信機として使用する特定小電力無線受信機６を設置する必要がない。但し、警報受信機以外の特定小電力無線受信機に再送信する場合には、切換スイッチ１０４をバンドパスフィルタ３２側に切り換える。なお切換スイッチ１０４の切換の指示は、ＤＩＰスイッチ５２からＣＰＵ５０へ与えられる。
【００２９】
第３の実施形態の中継器を図４及び図５に示す。この中継器２０２ａ、２０２ｂは、特定小電力無線送受信機２０４、２０６が図１の特定小電力無線送信機４、特定小電力無線受信機６の設置位置に設置されて、双方向の通信が行われる場合に対処するものである。特定小電力無線送受信機２０４から特定小電力無線送受信機２０６へ伝送する場合には、周波数Ｆ１の電波が使用され、特定小電力無線送受信機２０６から特定小電力無線送受信機４へ伝送する場合には、周波数Ｆ４の電波が使用されものである。
【００３０】
中継器２０２ａは、２０２ｂは、同一の構成であり、おおむね第１の実施形態の中継器２ａ、２ｂと同様な構成であるが、図５に示すように、増幅段３４の入力側と、増幅段４８の出力側とにそれぞれ専用のバンドパスフィルタ３２ａ、３２ｂが設けられ、周波数変換器３６専用の局部発振器３８ａと周波数変換器４６専用の局部発振器３８ｂが設けられ、増幅段４０の出力側と増幅段４４の入力側とにそれぞれ専用のバンドパスフィルタ４２ａ、４２ｂが設けられている。
【００３１】
中継器２０２ａでは、特定小電力無線送受信機２０４からの周波数Ｆ１の電波を受信し、周波数Ｆ１の高周波信号を通過させるバンドパスフィルタ３２ａ、増幅段３４を介して周波数変換器３６に供給し、ここで局部発振器３８ａの周波数Ｆ２の局部発振信号で周波数Ｆ３の高周波信号に周波数変換し、増幅段４０で増幅した後、周波数Ｆ３の高周波信号を通過させるバンドパスフィルタ４２ａを介して伝送ライン１６に伝送する。
【００３２】
中継器２０２ｂでは、周波数Ｆ３の高周波信号を、これを通過させるバンドパスフィルタ４２ｂ、増幅段４４を介して周波数変換器４６に供給し、局部発振器３８ｂからの周波数Ｆ２の局部発振信号で周波数Ｆ１の高周波信号に周波数変換し、増幅段４８、周波数Ｆ１の高周波信号を通過させるバンドパスフィルタ３２ｂを介してアンテナ３０から送信し、特定小電力無線送受信機２０６に送信する。
【００３３】
中継器２０２ｂでは、特定小電力無線送受信機２０６からの周波数Ｆ４の電波を通過させるバンドパスフィルタ３２ａ、増幅段３４を介して周波数変換器３６に供給し、ここで局部発振器３８ａの周波数Ｆ５の局部発振信号で周波数Ｆ６の高周波信号に周波数変換し、増幅段４０で増幅した後、周波数Ｆ６の高周波信号を通過させるバンドパスフィルタ４２ａを介して伝送ライン１８に伝送する。
【００３４】
中継器２０２ａでは、周波数Ｆ６の高周波信号を、これを通過させるバンドパスフィルタ４２ｂ、増幅段４４を介して周波数変換器４６に供給し、局部発振器３８ｂからの周波数Ｆ５の局部発振信号で周波数Ｆ４の高周波信号に周波数変換し、増幅段４８、周波数Ｆ４の高周波信号を通過させるバンドパスフィルタ３２ｂを介してアンテナ３０から送信し、特定小電力無線送受信機２０４に送信する。
【００３５】
このように中継器２０２ａと２０２ｂとでは、バンドパスフィルタ３２ａ、３２ｂ、４２ａ、４２ｂの通過周波数、局部発振器３８ａ、３８ｂの局部発振信号の周波数が異なっている。なお、増幅段３４、４０、４４、４８は、双方向の通信を行う場合、全て動作状態であるが、単方向の通信を行う場合には、ＣＰＵ５０によって第１の実施形態と同様に動作状態、非動作状態に制御される。なお、中継器２０２ａ、２０２ｂとして使用する場合、バンドパスフィルタ３２ａ、３２ｂ、４２ａ、４２ｂは、中継器２０２ａとして使用するものと、中継器２０２ｂとして使用するものとで通過周波数が異なるものに変更しなければならないが、バンドパスフィルタ３２ａ、３２ｂ、４２ａ、４２ｂを通過周波数可変バンドパスフィルタに構成し、ＣＰＵ５０によって通過周波数を制御するように構成すれば、中継器２０２ａ、２０２ｂの構成を完全に同一とすることができる。
【００３６】
第１及び第２の実施形態では、受信用中継器２ａ及び送信用中継器２ｂのいずれとしても１台の中継器が使用できるように構成したが、例えば増幅段４４、周波数変換器４６及び増幅段４８を除去して受信用中継器２ａ専用に構成した中継器と、増幅段３４、周波数変換器３６、増幅段４０を除去して送信用中継器２ｂ専用に構成した中継器とを、使用することもできる。第１及び第２の実施形態では、中継器２ａ、２ｂ、１０２ａ、１０２ｂは、それぞれ１台ずつ設けたが、特定小電力無線受信機６が異なる場所にそれぞれ設けられる場合には、受信用中継器２ｂまたは１０２ｂを、共同受信システムの複数の端末ユニットのうち各特定小電力無線受信機６の近傍のものにそれぞれ設けることもできる。上記の各実施形態では、共同受信システム８は２本の伝送ライン１６、１８を備えるものを示したが、これに限ったものではなく、さらに多くの伝送ラインを備えたものとすることもできる。この場合、各伝送ライン間で中継器からの高周波信号を伝送できるように、各伝送ライン間にバンドパスフィルタ２８に相当するバンドパスフィルタを設ける。
【符号の説明】
【００３７】
２ａ  ２ｂ  １０２ａ、１０２ｂ  ２０２ａ、２０２ｂ  中継器
４  特定小電力無線送信機
６  特定小電力無線受信機
１６  １８  伝送ライン
３６  周波数変換器（第１の周波数変換手段）
４６  周波数変換器（第２の周波数変換手段）
【図１】
2010263358.tif 000003
【図２】
2010263358.tif 000004
【図３】
2010263358.tif 000005
【図４】
2010263358.tif 000006
【図５】
2010263358.tif 000007